(57)【要約】【課題】エレベータ用のロープの接続に要する時間を短縮する。【解決手段】実施形態に係るエレベータ用ロープの接続方法は、第１のロープ及び第２のロープそれぞれから、複数のストランドを引き出す工程と、第１のロープから引き出されたストランドごとに、相互により合されてストランドを構成する複数の素線の先端部が密着するように、複数の素線の先端部同士を固定する工程と、第２のロープから引き出されたストランドごとに、相互により合されてストランドを構成する複数の素線の先端部が密着するように、複数の素線の先端部同士を固定する工程と、第１のロープのストランドと第２のロープのストランドとを編み込んで、第１のロープと第２のロープとを接続する工程と、を含む。【選択図】図４
2019214440.tif 000002
【特許請求の範囲】
【請求項１】
より合された複数のストランドから形成されたロープを交換する際に、既存の第１のロープと新規な第２のロープとを接続するためのロープの接続方法であって、
前記第１のロープ及び前記第２のロープそれぞれから、複数の前記ストランドを引き出す工程と、
前記第１のロープから引き出された前記ストランドごとに、相互により合されて前記ストランドを構成する複数の素線の先端部が密着するように、複数の前記素線の先端部同士を固定する工程と、
前記第２のロープから引き出された前記ストランドごとに、相互により合されて前記ストランドを構成する複数の前記素線の先端部が密着するように、複数の前記素線の先端部同士を固定する工程と、
前記第１のロープの前記ストランドと前記第２のロープの前記ストランドとを編み込んで、前記第１のロープと前記第２のロープとを接続する工程と、
を含むエレベータ用ロープの接続方法。
【請求項２】
前記第１のロープから１本の前記ストランドを引き出すごとに、引き出された前記ストランドを構成する複数の前記素線の先端部が密着するように、複数の前記素線の先端部同士を固定する工程と、
前記第２のロープから１本の前記ストランドを引き出すごとに、引き出された前記ストランドを構成する複数の前記素線の先端部が密着するように、複数の前記素線の先端部同士を固定する工程と、
を含む請求項１に記載のエレベータ用ロープの接続方法。
【請求項３】
前記第１のロープから引き出された前記ストランドごとに、前記ストランドの先端部を熱収縮チューブで覆い、前記熱収縮チューブを加熱することにより、前記ストランドを構成する複数の前記素線の先端部が密着するように、複数の前記素線の先端部同士を固定する工程と、
前記第２のロープから引き出された前記ストランドごとに、前記ストランドの先端部を熱収縮チューブで覆い、前記熱収縮チューブを加熱することにより、前記ストランドを構成する複数の前記素線の先端部が密着するように、複数の前記素線の先端部同士を固定する工程と、
を含む請求項１または２に記載のエレベータ用ロープの接続方法。
【請求項４】
前記第１のロープから引き出された前記ストランドごとに、前記ストランドの先端部をゴムキャップで覆い、前記ストランドを構成する複数の前記素線の先端部が密着するように、複数の前記素線の先端部同士を固定する工程と、
前記第２のロープから引き出された前記ストランドごとに、前記ストランドの先端部をゴムキャップで覆い、前記ストランドを構成する複数の前記素線の先端部が密着するように、複数の前記素線の先端部同士を固定する工程と、
を含む請求項１または２に記載のエレベータ用ロープの接続方法。
【請求項５】
前記第１のロープから引き出された前記ストランドごとに、前記ストランドを構成する複数の前記素線の先端部が密着するように、複数の前記素線の先端部同士を樹脂で固定する工程と、
前記第２のロープから引き出された前記ストランドごとに、前記ストランドを構成する複数の前記素線の先端部が密着するように、複数の前記素線の先端部同士を樹脂で固定する工程と、
を含む請求項１または２に記載のエレベータ用ロープの接続方法。
【請求項６】
前記第１のロープから引き出された前記ストランドごとに、前記ストランドを構成する複数の前記素線の先端部が密着するように、複数の前記素線の先端部同士を溶接により固定する工程と、
前記第２のロープから引き出された前記ストランドごとに、前記ストランドを構成する複数の前記素線の先端部が密着するように、複数の前記素線の先端部同士を溶接により固定する工程と、
を含む請求項１または２に記載のエレベータ用ロープの接続方法。
【請求項７】
前記第１のロープおよび前記第２のロープが樹脂で被覆されている場合、前記第１のロープおよび前記第２のロープを被覆している前記樹脂を除去する工程を含み、
前記除去する工程において、
前記第１のロープおよび前記第２のロープの先端部に指定された長さの前記樹脂を残し、前記第１のロープおよび前記第２のロープの先端部から反対方向に指定された長さの樹脂を除去する、
請求項１から６の何れか一項に記載のエレベータ用ロープの接続方法。
【請求項８】
前記指定された長さが、前記ストランドの直径の長さの１０倍から３０倍である、
請求項７に記載のエレベータ用ロープの接続方法。
【発明の詳細な説明】
【技術分野】
【０００１】
本発明の実施形態は、エレベータ用ロープの接続方法に関する。
【背景技術】
【０００２】
エレベータの乗りかごとつり合い錘とを接続しているロープが損傷したときや、定期のメンテナンス時には、ロープを交換する必要がある。一般的に、エレベータに使用されるロープを交換する際には、架設されている旧ロープに新しいロープを接続し、ロープの架設経路に沿って旧ロープを巻き取ることにより、旧ロープを回収するとともに新ロープを架設する。
【０００３】
新旧ロープを接続する方法として、新旧ロープを形成するストランド同士を編み込むことにより、新旧ロープを接続する方法が知られている。
【先行技術文献】
【特許文献】
【０００４】
【特許文献１】特開平４-３２７４８３号公報
【発明の概要】
【発明が解決しようとする課題】
【０００５】
ロープを形成するストランドは、より合わされた複数の素線から形成されている。ストランドを編み込む際に、ストランドを形成する素線がばらばらになることがある。この状態でストランドを編み込むと、ばらばらになった素線のいくつかが編み込まれたストランドからはみ出した状態になる。いくつかの素線がストランドからはみ出した状態でロープの交換を行うと、はみ出した素線がロープの架設経路に絡むことがある。これを防止するために、ばらばらになった素線をより合わせて、ストランドを編み込む必要がある。素線の１本１本は細くて固いので、素線を編み込む際に指に刺さる恐れがある。したがって、ばらばらになった素線をより合わせながらストランドを編み込んで新旧ロープを接続する作業には多くの時間を要していた。
【０００６】
本発明は、上述の事情の下になされたもので、エレベータ用のロープの接続に要する時間を短縮することを課題とする。
【課題を解決するための手段】
【０００７】
本発明の実施形態に係るエレベータ用ロープの接続方法は、より合された複数のストランドから形成されたロープを交換する際に、既存の第１のロープと新規な第２のロープとを接続するためのロープの接続方法である。実施形態に係るエレベータ用ロープの接続方法は、第１のロープ及び第２のロープそれぞれから、複数のストランドを引き出す工程と、第１のロープから引き出されたストランドごとに、相互により合されてストランドを構成する複数の素線の先端部が密着するように、複数の素線の先端部同士を固定する工程と、第２のロープから引き出されたストランドごとに、相互により合されてストランドを構成する複数の素線の先端部が密着するように、複数の素線の先端部同士を固定する工程と、第１のロープのストランドと第２のロープのストランドとを編み込んで、第１のロープと第２のロープとを接続する工程と、を含む。
【図面の簡単な説明】
【０００８】
【図１】一実施形態に係るエレベータ用のロープの交換作業について説明するための図である。
【図２】エレベータ用のロープの構成について説明するための図である。
【図３Ａ】ストランドの構成について説明するための図である。
【図３Ｂ】ストランドの構成について説明するための図である。
【図４】一実施形態に係るエレベータ用のロープの接続方法について説明するためのフローチャートである。
【図５】一実施形態に係るエレベータ用のロープの接続方法について説明するための図である。
【図６】一実施形態に係るエレベータ用のロープの接続方法について説明するための図である。
【図７】一実施形態に係るエレベータ用のロープの接続方法について説明するための図である。
【図８】一実施形態に係るエレベータ用のロープの接続方法について説明するための図である。
【図９】一実施形態に係るエレベータ用のロープの接続方法について説明するための図である。
【図１０】一実施形態に係るエレベータ用のロープの接続方法について説明するための図である。
【図１１】一実施形態に係るエレベータ用のロープの接続方法について説明するための図である。
【発明を実施するための形態】
【０００９】
（実施形態１）
以下、本発明の実施の形態について、図面を参照して詳細に説明する。
【００１０】
先ず、図１によりエレベータ装置１００の全体構成を説明する。図１に示されるように、エレベータ装置１００は、昇降路壁１０２に囲まれた昇降路１０１内に配置された乗りかご２およびつり合い錘３を備える。昇降路１０１の上方には、乗りかご２を昇降させる既存のロープ４（第１のロープ）もしくは新規なロープ５（第２のロープ）を駆動する巻上機１及び制御装置９等が設置された機械室１０３が設けられている。制御装置９は、エレベータ装置１００の全体を制御するもので、乗り場呼び又はかご呼びに応じて巻上機１を運転制御し、乗りかご２を呼びのあった階へ着床させる。エレベータ装置１００では、建屋の各階の床１０４に設けられた乗り場に、昇降路１０１内の乗りかご２に通じる出入り口１０５が設けられている。
【００１１】
次に、エレベータ用のロープの交換作業の概略について図１を参照して説明する。既存のロープ４は、巻上機１を介してエレベータの乗りかご２とつり合い錘３とを接続している。ロープ４は、例えば、損傷もしくは老朽化した交換対象のロープである。ロープ４を交換する際、任意の階の出入り口１０５に新規なロープ５が巻かれた新ロープドラム６とロープ４を巻き取る旧ロープドラム８を用意する。乗りかご２の上面を新ロープドラム６を用意した階の床面と同じ位置になるように停止させ、ロープ４を乗りかご２及びつり合い錘３から切り離す。ロープ４の一端を旧ロープドラム８に接続し、他端を新ロープドラム６に巻かれたロープ５に接続する。旧ロープドラム８にロープ４を巻き取ることにより、ロープ４があった位置にロープ５が架設される。ロープ５に乗りかご２とつり合い錘３を接続して、ロープの交換を終える。
【００１２】
次に、ロープ４，５の構成について説明する。図２に、ロープ４，５の断面図を示す。図２に示されるように、ロープ４，５は、心網１２、ストランド１５、被覆１１から形成されている。図２に示す例では、ロープ４，５は、８本のストランド１５から形成されている。図３Ａ及び図３Ｂに、ストランド１５の断面図を示す。ストランド１５は、より合わされた複数の素線１６から形成されている。素線１６は、炭素鋼等の固い素材で形成されている。素線１６の太さ及び本数は限定されない。図３Ａ及び図３Ｂに示す例では、ストランド１５は、１９本の素線１６から形成されている。図２に示されるように、被覆１１は、複数のストランド１５の周囲を被覆している。被覆１１は、例えばビニール等の樹脂で形成されている。被覆１１は、より合わされたストランド１５及び素線１６がばらばらになることを防止している。図２に示すＬ１は、ロープ４，５の直径である。また、Ｌ２は、ストランド１５の直径である。
【００１３】
次に、ロープ４とロープ５との接続方法について図４を参照しながら説明する。最初に、ロープ４とロープ５の被覆１１を除去する（ステップＳ１１）。このとき、図５に示されるように、ロープ４，５の先端部に指定された長さで被覆１１ａを残す。具体的には、残す被覆１１ａの長さをＬ３とした場合、Ｌ３がストランド１５の直径Ｌ２の１０倍から３０倍程度になるように被覆１１ａを残す。Ｌ３は、例えば、２０ｍｍ〜６０ｍｍ程度である。
【００１４】
被覆１１ａを残さないと、より合わされたストランド１５及び素線１６がばらばらになってしまい、後述する作業が困難になる場合がある。Ｌ３を短くし過ぎると、残した被覆１１ａから目的とするストランド１５を引き出す際、他のストランド１５も一緒に引き出されてしまうこともある。Ｌ３を長くし過ぎると、残した被覆１１ａから目的とするストランド１５を引き出すことが困難になる。経験上、Ｌ３をＬ２の１０倍から３０倍程度の長さにすると作業効率を向上することができた。
【００１５】
除去する被覆１１の長さＬ４は、例えば、３０ｃｍ〜７０ｃｍである。Ｌ４を長くするほど、ロープ４，５の接続強度を高くすることができる。一方、Ｌ４を長くするほど、作業時間は長くなる。したがって、ロープ４，５の接続部に加わる荷重に応じてＬ４の長さを決める。
【００１６】
次に、ロープ４，５それぞれから、複数のストランドを引き出す（ステップＳ１２）。具体的には、より合わされた複数のストランド１５の中の１本を残された被覆１１ａから引き出す。ストランド１５が偶数番目に引き出されたストランド１５である場合（ステップＳ１３：Ｙｅｓ）、引き出されたストランド１５を切断する（ステップＳ１４）。具体的には、図６に示す被覆１１を除去した位置１１ｂで引き出されたストランド１５を切断する。一方、ストランド１５が奇数番目に引き出されたストランド１５である場合（ステップＳ１３：Ｎｏ）、ステップＳ１５の処理に移行する。
【００１７】
引き出されたストランド１５は被覆１１ａに覆われていないので、ストランド１５の先端部を処理しない場合、図６に示されるように、ストランド１５を形成する素線１６がばらばらになることがある。これを防止するために、ロープ４から引き出されたストランド１５ごとに、相互により合されてストランド１５を構成する複数の素線１６の先端部が密着するように、複数の素線１６の先端部同士を固定する。次に、ロープ５から引き出されたストランド１５ごとに、相互により合されてストランド１５を構成する複数の素線１６の先端部が密着するように、複数の素線１６の先端部同士を固定する。（ステップＳ１５）。具体的には、図７に示されるように、ロープ４から引き出されたストランド１５ごとに、ストランド１５の先端部を熱収縮チューブ４０で覆い、熱収縮チューブ４０を加熱することにより、ストランド１５を構成する複数の素線１６の先端部が密着するように、複数の素線１６の先端部同士を固定する。ロープ５についても同様の処理を行う。
【００１８】
ステップＳ１４もしくはステップＳ１５の処理がされていないストランド１５が残っている場合（ステップＳ１６：Ｙｅｓ）、ステップＳ１２からステップＳ１６までの処理を繰り返す。一方、ステップＳ１４もしくはステップＳ１５の処理がされていないストランド１５が残っていない場合（ステップＳ１６：Ｎｏ）、ステップＳ１７の処理に移行する。
【００１９】
すべてのストランド１５の処理が終わると（ステップＳ１６：Ｎｏ）、ロープ４，５の先端部は、図８に示されるような状態になる。次に、ロープ４，５それぞれの心網１２の先端部に残された被覆１１ａを除去する。
【００２０】
次に、図９に示されるように、ロープ５（もしくは、ロープ４）の心網１２を、被覆１１を除去した位置１１ｂで切断する（ステップＳ１７）。次に、ロープ４から引き出されたストランド１５とロープ５から引き出されたストランド１５とを編み込むことにより、ロープ４とロープ５とを接続する（ステップＳ１８）。具体的には、図１０に示されるように、ロープ４，５の残されたストランド１５を残された心網１２を核にして編み込む。ストランド１５の先端部を熱収縮チューブ４０で被覆しているので、ストランド１５を編み込む際に、ストランド１５の先端部の素線１６がばらばらになることはない。したがって、ストランド１５を編み込む作業の効率を向上させることができる。
【００２１】
次に、ロープ４とロープ５とを接続した部分を被覆する（ステップＳ１９）。具体的には、熱収縮チューブ４０で被覆されたストランド１５の先端部を伸縮性のあるテーピング３０で被覆する。このとき、図１１に示されるように、テーピング３０で被覆された部分の直径Ｌ５がロープ４，５の直径Ｌ１以下になるようにする。これにより、ロープ４を旧ロープドラム８に巻き取る際に、巻上機１等の架設経路にロープ４，５の接続部分が引っかかることを防止することができる。以上の作業により、ロープ４，５の接続作業が完了する。
【００２２】
（変形例１）
上記の説明では、切断されたストランド１５の先端部を熱収縮チューブ４０で被覆する場合について説明した。しかし、ストランド１５を形成する素線１６がばらばらにならないようにする方法をこれに限定する必要はない。例えば、ロープ４，５から引き出されたストランド１５ごとに、ストランド１５の先端部をゴムキャップで覆い、ストランド１５を構成する複数の素線１６の先端部が密着するように、複数の素線１６の先端部同士を固定する用ようにしてもよい。この場合、図１１に示されるように、テーピング３０で被覆された部分の直径Ｌ５がロープ４，５の直径Ｌ１以下になるように、ゴムキャップを選択する必要がある。また、ストランド１５の先端部をビニールテープ等で固定してもよい。
【００２３】
（変形例２）
また、引き出されたストランド１５ごとに、ストランド１５を構成する複数の素線１６の先端部が密着するように、ペンキ、接着剤、ゴム、プラスチック等の樹脂を使用して、複数の素線１６の先端部同士を固定するようにしてもよい。ストランド１５の先端部を樹脂で固定する場合、樹脂が素線１６と素線１６の間に浸透し、素線１６同士が固定される。
【００２４】
（変形例３）
また、素線１６の先端部をアーク溶接等により溶かして、素線１６同士を融着させてもよい。また、はんだ等でストランド１５の先端部を溶接してもよい。この場合、図１１に示されるように、テーピング３０で被覆された部分の直径Ｌ５がロープ４，５の直径Ｌ１以下になるように留意する必要がある。
【００２５】
以上に説明したように、本実施形態に係るエレベータ用ロープの接続方法では、ストランド１５の先端部の素線１６がばらばらにならないように、複数の素線１６の先端部同士を固定する工程を設ける。これにより、ロープ４，５のストランド１５を編み込む作業が容易になり、エレベータ用のロープの接続に要する時間を短縮することができる。
【００２６】
また、ロープ４，５の被覆１１を除去する際、ストランド１５の先端部に被覆１１ａを残す。これにより、残された被覆１１ａからストランド１５を１本１本引き出すことができる。引き出したストランド１５以外のストランド１５は、残された被覆１１ａによって束ねられた状態を維持されている。したがって、引き出したストランド１５の先端部を固める処理をしている間に、他のストランド１５の素線１６がばらばらになることはない。
【００２７】
なお、図４に示したフローチャートは作業手順の一例であり、これに限定する必要はない。例えば、図５に示すＬ３の長さで被覆１１を削除する。そして、全てのストランド１５の素線１６の先端部同士を固定する。その後、図５に示すＬ４の長さで被覆１１を削除する。そして、ストランド１５を１本おきに切断する。そして、ロープ４，５の残されたストランド１５を編み込むことにより、ロープ４，５を接続する。この作業手順においても、素線１６の先端部同士を固定する工程を設けることによって素線１６がばらばらになることを防止でき、ロープ４，５のストランド１５を編み込む作業時間を短縮することができる。
【００２８】
また、上記の説明では、被覆１１を有するロープ４，５を接続する場合について説明した。被覆１１を有さないロープを接続する場合においても、素線１６の先端部同士を固める工程を設けることにより、ストランド１５の切断もしくは編み込みの際に素線１６がばらばらになることを防止できる。これにより、ロープ４，５のストランド１５を編み込む作業時間を短縮することができる。
【００２９】
また、上記の説明では、ストランド１５の先端部に残す被覆１１ａの長さＬ３をストランド１５の直径Ｌ２の１０倍から３０倍程度にする場合について説明した。ストランド１５及び素線１６がばらばらになろうとする力は、ロープの種類によって異なる。ストランド１５の先端部に残す被覆１１ａの長さＬ３は、ストランド１５及び素線１６がばらばらになろうとする力に基づいて決めればよい。
【００３０】
本発明のいくつかの実施形態を説明したが、これらの実施形態は例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これらの実施形態やその変形は、発明の範囲や要旨に含まれると共に、特許請求の範囲に記載された発明とその均等の範囲に含まれる。
【符号の説明】
【００３１】
１…巻上機
２…乗りかご
３…つり合い錘
４…ロープ
５…ロープ
６…新ロープドラム
８…旧ロープドラム
１１…被覆
１１ａ…ストランドの先端部に残す被覆
１２…心網
１５…ストランド
１６…素線
３０…テーピング
４０…熱収縮チューブ
１００…エレベータ装置
１０１…昇降路
１０２…昇降路壁
１０３…機械室
１０４…床
１０５…出入り口
【図１】
2019214440.tif 000003
【図２】
2019214440.tif 000004
【図３Ａ】
2019214440.tif 000005
【図３Ｂ】
2019214440.tif 000006
【図４】
2019214440.tif 000007
【図５】
2019214440.tif 000008
【図６】
2019214440.tif 000009
【図７】
2019214440.tif 000010
【図８】
2019214440.tif 000011
【図９】
2019214440.tif 000012
【図１０】
2019214440.tif 000013
【図１１】
2019214440.tif 000014
【手続補正書】
【提出日】令和1年6月26日(2019.6.26)
【手続補正１】
【補正対象書類名】明細書
【補正対象項目名】０００７
【補正方法】変更
【補正の内容】
【０００７】
本発明の実施形態に係るエレベータ用ロープの接続方法は、より合された複数のストランドから形成されたロープを交換する際に、既存の第１のロープと新規な第２のロープとを接続するためのロープの接続方法である。実施形態に係るエレベータ用ロープの接続方法は、第１のロープ及び第２のロープそれぞれから、複数のストランドを引き出す工程と、第１のロープから引き出されたストランドごとに、相互により合されてストランドを構成する複数の素線の先端部が密着するように、複数の素線の先端部同士を固定する工程と、第２のロープから引き出されたストランドごとに、相互により合されてストランドを構成する複数の素線の先端部が密着するように、複数の素線の先端部同士を固定する工程と、第１のロープのストランドと第２のロープのストランドとを編み込んで、第１のロープと第２のロープとを接続する工程と、第１のロープおよび第２のロープが樹脂で被覆されている場合、第１のロープおよび第２のロープを被覆している樹脂を除去する工程と、を含む。除去する工程において、第１のロープおよび第２のロープの先端部に指定された長さの樹脂を残し、第１のロープおよび第２のロープの先端部から反対方向に指定された長さの樹脂を除去する。
【手続補正２】
【補正対象書類名】特許請求の範囲
【補正対象項目名】全文
【補正方法】変更
【補正の内容】
【特許請求の範囲】
【請求項１】
より合された複数のストランドから形成されたロープを交換する際に、既存の第１のロープと新規な第２のロープとを接続するためのロープの接続方法であって、
前記第１のロープ及び前記第２のロープそれぞれから、複数の前記ストランドを引き出す工程と、
前記第１のロープから引き出された前記ストランドごとに、相互により合されて前記ストランドを構成する複数の素線の先端部が密着するように、複数の前記素線の先端部同士を固定する工程と、
前記第２のロープから引き出された前記ストランドごとに、相互により合されて前記ストランドを構成する複数の前記素線の先端部が密着するように、複数の前記素線の先端部同士を固定する工程と、
前記第１のロープの前記ストランドと前記第２のロープの前記ストランドとを編み込んで、前記第１のロープと前記第２のロープとを接続する工程と、
前記第１のロープおよび前記第２のロープが樹脂で被覆されている場合、前記第１のロープおよび前記第２のロープを被覆している前記樹脂を除去する工程と、を含み、
前記除去する工程において、
前記第１のロープおよび前記第２のロープの先端部に指定された長さの前記樹脂を残し、前記第１のロープおよび前記第２のロープの先端部から反対方向に指定された長さの樹脂を除去する、
エレベータ用ロープの接続方法。
【請求項２】
前記第１のロープから１本の前記ストランドを引き出すごとに、引き出された前記ストランドを構成する複数の前記素線の先端部が密着するように、複数の前記素線の先端部同士を固定する工程と、
前記第２のロープから１本の前記ストランドを引き出すごとに、引き出された前記ストランドを構成する複数の前記素線の先端部が密着するように、複数の前記素線の先端部同士を固定する工程と、
を含む請求項１に記載のエレベータ用ロープの接続方法。
【請求項３】
前記第１のロープから引き出された前記ストランドごとに、前記ストランドの先端部を熱収縮チューブで覆い、前記熱収縮チューブを加熱することにより、前記ストランドを構成する複数の前記素線の先端部が密着するように、複数の前記素線の先端部同士を固定する工程と、
前記第２のロープから引き出された前記ストランドごとに、前記ストランドの先端部を熱収縮チューブで覆い、前記熱収縮チューブを加熱することにより、前記ストランドを構成する複数の前記素線の先端部が密着するように、複数の前記素線の先端部同士を固定する工程と、
を含む請求項１または２に記載のエレベータ用ロープの接続方法。
【請求項４】
前記第１のロープから引き出された前記ストランドごとに、前記ストランドの先端部をゴムキャップで覆い、前記ストランドを構成する複数の前記素線の先端部が密着するように、複数の前記素線の先端部同士を固定する工程と、
前記第２のロープから引き出された前記ストランドごとに、前記ストランドの先端部をゴムキャップで覆い、前記ストランドを構成する複数の前記素線の先端部が密着するように、複数の前記素線の先端部同士を固定する工程と、
を含む請求項１または２に記載のエレベータ用ロープの接続方法。
【請求項５】
前記第１のロープから引き出された前記ストランドごとに、前記ストランドを構成する複数の前記素線の先端部が密着するように、複数の前記素線の先端部同士を樹脂で固定する工程と、
前記第２のロープから引き出された前記ストランドごとに、前記ストランドを構成する複数の前記素線の先端部が密着するように、複数の前記素線の先端部同士を樹脂で固定する工程と、
を含む請求項１または２に記載のエレベータ用ロープの接続方法。
【請求項６】
前記第１のロープから引き出された前記ストランドごとに、前記ストランドを構成する複数の前記素線の先端部が密着するように、複数の前記素線の先端部同士を溶接により固定する工程と、
前記第２のロープから引き出された前記ストランドごとに、前記ストランドを構成する複数の前記素線の先端部が密着するように、複数の前記素線の先端部同士を溶接により固定する工程と、
を含む請求項１または２に記載のエレベータ用ロープの接続方法。
【請求項７】
前記指定された長さが、前記ストランドの直径の長さの１０倍から３０倍である、
請求項１から６の何れか一項に記載のエレベータ用ロープの接続方法。